(57)【要約】  フレーム（１６）と、１以上のカミソリ刃（１８）と、接触面（３８）を有するガード（２０）と、ガード（２０）の接触面（３８）に配置された複数の掬いポケット（４０）とを含むカミソリカートリッジ（１２）が提供される。１以上のカミソリ刃（１８）がフレーム（１６）に取り付けられ、それぞれのカミソリ刃は切断エッジ（２８）を有する。ガード（２０）は、長さと幅とを有し、１以上のカミソリ刃（１８）の前に配置される。それぞれの掬いポケット（４０）は、開放端（５０）及び後端（５２）の間を延出するベース面（４２）、第１の側面（４６）及び第２の側面（４８）を有する。各掬いポケット（４０）の開放端（５０）は、それぞれの後端（５２）に前にある。それぞれの掬いポケット（４０）は、後端（５２）に連続する後側面（４４）をも含む。掬いポケット（４０）はガード（２０）の長さに沿って配置される。
2005515866.tif 000002
【特許請求の範囲】
【請求項１】
キャップを有するフレームと、
前記フレームに取り付けられる１以上のカミソリ刃であって、そのそれぞれが切断エッジを有する１以上のカミソリ刃と、
長さ、幅及び接触面を有するガードであって、前記１以上のカミソリ刃の前に配置されるガードと、
前記ガードの前記接触面に配置された複数の掬いポケットとを備え、
それぞれの前記掬いポケットが、開放端、後端、ベース面、第１の側面、第２の側面及び後側面を有し、前記ベース面、前記第１の側面、及び前記第２の側面が、前記開放端及び前記後端の間を延出し、前記複数の掬いポケットが、前記ガードの長さに沿って配置され、
前記ポケットの前記開放端が、前記後端の前にあり、剃られるべき面が前記ポケットに入ることを可能にする
カミソリカートリッジ。
【請求項２】
前記後側面が弓形に形成される請求項１記載のカミソリカートリッジ。
【請求項３】
前記後側面が前記ベース面に実質的に垂直である請求項２記載のカミソリカートリッジ。
【請求項４】
前記後側面が前記ベース面に対し鋭角をなして傾斜される請求項２記載のカミソリカートリッジ。
【請求項５】
前記第１の側面及び前記第２の側面の一方又は両方が前記ベース面に対し鋭角をなして傾斜される請求項４記載のカミソリカートリッジ。
【請求項６】
前記ガードが弾性材料からなる請求項５記載のカミソリカートリッジ。
【請求項７】
前記ベース面が前記１以上のカミソリ刃に実質的に平行である請求項６記載のカミソリカートリッジ。
【請求項８】
前記ベース面が前記１以上のカミソリ刃に実質的に平行である請求項１記載のカミソリカートリッジ。
【請求項９】
前記後側面が前記ベース面に実質的に垂直である請求項８記載のカミソリカートリッジ。
【請求項１０】
前記後側面が前記ベース面に対し鋭角をなして傾斜される請求項８記載のカミソリカートリッジ。
【請求項１１】
前記第１の側面及び前記第２の側面の一方又は両方が前記ベース面に対し鋭角をなして傾斜される請求項１０記載のカミソリカートリッジ。
【請求項１２】
それぞれの前記掬いポケットが長さと幅とを有し、前記掬いポケットの長さが一定である請求項１記載のカミソリカートリッジ。
【請求項１３】
前記掬いポケットの幅が一定である請求項１２記載のカミソリカートリッジ。
【請求項１４】
それぞれの前記掬いポケットが長さと幅とを有し、前記掬いポケットの長さが異なる請求項１記載のカミソリカートリッジ。
【請求項１５】
前記ガードの長さ方向両端に配置される前記掬いポケットの長さが、前記ガードの中心部に配置される前記掬いポケットの長さより小さい請求項１４記載のカミソリカートリッジ。
【請求項１６】
前記掬いポケットの幅が異なる請求項１５記載のカミソリカートリッジ。
【請求項１７】
前記ガードの長さ方向両端に配置される前記掬いポケットの幅が、前記ガードの中心部に配置される前記掬いポケットの幅より小さい請求項１６記載のカミソリカートリッジ。
【請求項１８】
それぞれの前記掬いポケットが長さと幅とを有し、前記掬いポケットの幅が異なる請求項１記載のカミソリカートリッジ。
【請求項１９】
前記ガードの長さ方向両端に配置される前記掬いポケットの幅が、前記ガードの中心部に配置される前記掬いポケットの幅より小さい請求項１８記載のカミソリカートリッジ。
【請求項２０】
前記ガードの前記接触面に配置され、前記複数の掬いポケットと前記ガードの後縁との間を延出する１以上の溝をさらに備える請求項１記載のカミソリカートリッジ。
【請求項２１】
前記ガードに配置され、前記掬いポケットの一つと前記ガードの前縁との間を延出する複数の切り欠きをさらに備え、それぞれの前記切り欠きがベース面と一対の側面とを含む請求項１記載のカミソリカートリッジ。
【請求項２２】
それぞれの前記切り欠きの両側面が、前記掬いポケットから前記前縁に向かう方向に進むにつれ互いに分岐する請求項２１記載のカミソリカートリッジ。
【請求項２３】
それぞれの前記切り欠きのベース面が、前記カミソリカートリッジのシェーブ面に実質的に平行である請求項２２記載のカミソリカートリッジ。
【請求項２４】
それぞれの前記切り欠きの両側面が弓形に形成される請求項２３記載のカミソリカートリッジ。
【請求項２５】
キャップを有するフレームと、
前記フレームに取り付けられる１以上のカミソリ刃であって、そのそれぞれが切断エッジを有する１以上のカミソリ刃と、
長さ、幅及び接触面を有するガードであって、前記１以上のカミソリ刃の前に配置されるガードと、
前記ガードの前記接触面に配置された複数の掬いポケットと、
ハンドルとを有するカートリッジであって、
それぞれの前記掬いポケットが、開放端、後端、ベース面、第１の側面、第２の側面及び後側面を有し、前記ベース面、前記第１の側面、及び前記第２の側面が、前記開放端及び前記後端の間を延出し、前記複数の掬いポケットが、前記ガードの長さに沿って配置され、前記ポケットの前記開放端が、前記後端の前にあり、剃られるべき面が前記ポケットに入ることを可能にするカートリッジ
を備えるカミソリアッセンブリ。
【請求項２６】
前記後側面が弓形に形成される請求項２５記載のカミソリカートリッジ。
【請求項２７】
前記後側面が前記ベース面に対し鋭角をなして傾斜される請求項２６記載のカミソリアッセンブリ。
【請求項２８】
前記第１の側面及び前記第２の側面の一方又は両方が前記ベース面に対し鋭角をなして傾斜される請求項２５記載のカミソリアッセンブリ。
【請求項２９】
前記ベース面が前記１以上のカミソリ刃に実質的に平行である請求項２８記載のカミソリアッセンブリ。
【請求項３０】
それぞれの前記掬いポケットが長さと幅とを有し、前記掬いポケットの長さが一定である請求項２５記載のカミソリアッセンブリ。
【請求項３１】
前記掬いポケットの幅が一定である請求項２５記載のカミソリアッセンブリ。
【請求項３２】
それぞれの前記掬いポケットが長さと幅とを有し、前記掬いポケットの長さが異なる請求項２５記載のカミソリアッセンブリ。
【請求項３３】
前記掬いポケットの幅が異なる請求項３２記載のカミソリアッセンブリ。
【請求項３４】
前記ガードの前記接触面に配置され、前記複数の掬いポケットと前記ガードの後縁との間を延出する１以上の溝をさらに備える請求項２５記載のカミソリアッセンブリ。
【発明の詳細な説明】
【技術分野】
【０００１】
本発明は概してシェービング装置に係り、特に、ガードバーを利用するシェービング装置に関する。
【背景技術】
【０００２】
現代の安全カミソリは、カートリッジに配置された複数の刃を使用し、カートリッジはハンドルに回転可能に又は固定して取り付けられる。いくつかの安全カミソリは、再使用可能なハンドルとともに使用される使い捨てカートリッジを有し、一方その他の安全カミソリは、一体として使い捨てのハンドル及びカートリッジを有する。様々なカミソリカートリッジの形態が存在するが、そのほとんどは硬質プラスチックで作られたフレームを含む。フレームはシートとキャップとを含む。カートリッジはしばしば刃の前方に配置されたガード（保護装置）を含む。ガードとキャップとは、刃のシェービング動作を最適化するよう、刃に対する人の皮膚（肌）の位置を方向付ける。いくつかのカートリッジは、シェービング工程を向上するため、シェービングエイド（例えば潤滑剤、引き摺り抵抗軽減剤、脱毛剤、清浄剤、医薬剤等）からなるコンフォートストリップを含む。ここで使用される用語「前」及び「後」は、安全カミソリ（即ちカミソリアッセンブリ）の要素間の相対位置を定義する。例えば、カミソリ刃の要素「前」は、カミソリアッセンブリがその意図される切断方向になでられているときに、剃られる面がカミソリ刃に直面する前に要素に直面するように位置づけられる（例えば、ガードはカミソリ刃の前にある）。カミソリ刃の要素「後」は、カミソリアッセンブリがその意図される切断方向になでられているときに、剃られる面がカミソリ刃に直面した後に要素に直面するように位置づけられる（例えば、キャップはカミソリ刃の後に配置される）。
【０００３】
特定のカミソリカートリッジによって提供される快適さ及び性能は、カミソリの商業的成功にとって重要である。カミソリの快適性、性能、及び扱いやすさのためになる改良は、意義があり若しくは繊細ではあるが、カミソリの商業的成功に決定的な影響を及ぼすことができる。例えば、ほとんどのカミソリはガードバーを含み、これにより剃られる皮膚を、ガードの後に配置された１以上のカミソリのための好ましい位置に向ける。典型的に、ガードバーは、皮膚をつかみ（皮膚にグリップし）、シェービングストローク中皮膚を張るように引くことによって皮膚を方向付ける。ガード外表面の皮膚係合面から外方に伸びるフィン、リブ、又はその他の付属物が、ガードが皮膚をつかむ能力を増大する。しかし、ユーザがシェービングクリームを適用するウェットシェービング装置では、生憎、ガードから外方に伸びる付属物が、シェービングクリームを剃られる面から拭き取ってしまう。
【発明の開示】
【発明が解決しようとする課題】
【０００４】
それゆえ、剃られる皮膚を好適に方向付けるカミソリカートリッジのためのガードバーであって、ウェットシェービング装置と共に使用されることができるものが必要とされている。
【課題を解決するための手段】
【０００５】
そこで、本発明の目的は、剃られる皮膚を好適に方向付けるカミソリカートリッジのためのガードバーであって、ウェットシェービング装置と共に使用されることができるものを提供することにある。
【０００６】
本発明によれば、フレームと、１以上のカミソリ刃と、接触面を有するガードと、接触面に配置された複数の掬いポケット（scoop pocket）とを含むカミソリカートリッジが提供される。１以上のカミソリ刃がフレームに取り付けられ、それぞれのカミソリ刃は切断エッジを有する。ガードは、長さと幅とを有し、１以上のカミソリ刃の前に配置される。それぞれの掬いポケットは、開放端及び後端の間を延出するベース面、第１の側面及び第２の側面を有する。各掬いポケットの開放端は、それぞれの後端に前にある。掬いポケットは、後端に連続（隣接）する後側面をも含む。掬いポケットはガードの長さに沿って配置される。
【０００７】
本発明の利点は、掬いポケットが、シェービングストローク中の剃られる皮膚への改良されたグリップを提供するということである。掬いポケットの開放されたさじ状の形状は、従順な皮膚（compliant skin）への改良されたグリップを提供する。なぜなら、既知のガードデザインで生じるよりも多くの従順な皮膚がポケット内に受け入れられるからである。さらに、掬いポケットの形状は、掬いポケットのグリップ機能を妥協させずに過剰のシェービングクリームを収集することをも可能にする。
【０００８】
本発明の別の利点は、シェービング工程中に生成された剃りカスが容易に清浄されるということである。小さな突起を単独で、及び・又は、窪みと共に含む従来のガードは、剃りカスで詰まる可能性がある。ガードが剃りカスで詰まると、皮膚をつかみ、カミソリ刃に対し皮膚を好適に方向付ける能力が、生憎、妥協させられる。
【０００９】
本発明のこれら及び他の目的、特徴及び利点は、本発明の詳細な説明に鑑みて明らかになるであろう。
【発明の効果】
【００１０】
本発明によれば、剃られる皮膚を好適に方向付けるカミソリカートリッジのためのガードバーであって、ウェットシェービング装置と共に使用されることができるものが提供される。
【発明を実施するための最良の形態】
【００１１】
ここで図１〜図１０を参照すると、本発明のカミソリアッセンブリ１０はカミソリカートリッジ１２及びハンドル１４を含む。いくつかの例において、ハンドル１４とカートリッジ１２とは、通常使用時におけるハンドル１４からのカートリッジ１２の分解が予定されないような方法で組み立てられる（即ち、一体の使い捨てカミソリアッセンブリ）。他の例において、カートリッジ１２は交換可能で、よってハンドル１４から選択的に分離可能である。
【００１２】
カミソリカートリッジ１２は、フレーム１６と、１以上のカミソリ刃１８と、ガード２０とを含む。カミソリカートリッジ１２は、長さ２２と幅２４と高さ２６とを有するとして説明されることができる。１以上のカミソリ刃１８（その各々は長手方向に延出する切断エッジ２８を有する）が、フレーム１６に取り付けられる。フレーム１６は、キャップ３０及び一対の側板３２を含む。キャップ３０は、１以上のカミソリ刃１８に後に位置されると共に、接触面３４を含む。いくつかの例において、シェービングエイドストリップ３６がキャップ３０に取り付けられる。シェービングエイドストリップ３６は、潤滑剤、引き摺り抵抗軽減剤、脱毛剤、清浄剤、医薬剤等の１以上の様々な構成材料を含むことができ、いかなる単一材料又は材料の組み合せにも限定されない。
【００１３】
ガード２０は、フレーム１６に取り付けられると共に、１以上のカミソリ刃１８の前に配置される。ガード２０は、接触面３８及び複数の掬いポケット４０を含む。掬いポケット４０はガード２０の長さに沿って配置される。それぞれの掬いポケット４０は、ベース面４２と、後側面４４と、第１の側面４６と、第２の側面４８とを含む。ベース面４２と、第１の側面４６と、第２の側面４８とは、開放端５０と後端５２との間を延出する。後側面４４は後端５２に連続（隣接）される。それぞれの掬いポケット４０の開放端５０は、それぞれの後端５２の前に位置される。好ましくは、ガード２０は弾性材料からなり、これにより、ガード２０の、剃られる面をつかむ能力を向上できるであろう。
【００１４】
図１〜図３に示される実施形態において、後側面４４と側面４６，４８とは、ベース面４２に対し実質的に垂直である。ガード２０の接触面３８は、少なくとも部分的にシェーブ面（shave plane）５４（図１参照）に一致して配置される。シェーブ面５４は、ガード２０の接触面３８とキャップ３０の接触面３４との間を延出し、カートリッジ１２の長さに亘って延出する。ベース面４２は１以上のカミソリ刃１８に実質的に平行である。図４に示されるように、他の実施形態において、後側面４４及び・又は第１及び第２の側面４６，４８は、ベース面４２に対し鋭角「ａ」をなす斜めとされる。斜度「ａ」の大きさは、ガード２０が皮膚をつかむ能力を増加させるため、垂直から変更されることができる。
【００１５】
図１及び図２に示される実施形態において、ガード２０の長さ方向に亘る掬いポケット４０のそれぞれにおける長さ５６と幅５８とは、ガード前縁６０の形状によって切り詰められるものを除いて、等しい。他の実施形態において、掬いポケット４０の長さ５６と幅５８とは、ガード２０の長さ方向に亘って変更することができる。図５及び図６に示される具体的実施形態において、掬いポケット４０の長さ５６と幅５８とは、ガード２０の中心に向かう方向において増加する。増加された長さ５６及び幅５８は、掬いポケット４０が皮膚をつかむ能力を増加させる。それぞれの掬いポケット４０の長さ５６及び・又は幅５８、並びにガード２０の長さに沿ったそれらの位置は、適用に合うよう変更されることができる。図５〜図７に示される具体的実施形態は、面取りされた端部６６を含む。
【００１６】
いくつかの例において、ガード２０は、１以上の溝６２をさらに含む。溝６２は、ガード２０の接触面３８に配置され、１以上の掬いポケット４０とガード２０の後端６４との間を延出する。溝６２は、１以上のカミソリ刃１８に向かって延出すると共に、それぞれの掬いポケット４０からのシェービングクリームの供給を調節する寸法とされる。供給されたシェービングクリームは、１以上のカミソリ刃１８とユーザの皮膚との間の潤滑剤の役割を果たすことができる。掬いポケット４０と溝６２との組み合せによって提供される利点は、掬いポケット４０が皮膚をつかむ能力を阻害せずに、掬いポケット４０によって皮膚から取り除かれたシェービングクリームを、同じ掬いポケット４０の下流に供給できることである。掬いポケット４０の後にある溝６２の位置は、ガード２０の後の皮膚へのシェービングクリームの分配の均一化を向上する。即ち、シェービングクリームは、掬いポケット４０とその後との間を溝６２を通じて通過し、これにより長さ方向に沿って均一な分配が提供される。
【００１７】
図８〜図１０に示される実施形態において、ガード２０は、掬いポケット４０とガード２０の前縁６０との間を延出する複数の切り欠き７０を含む。図８〜図１０は、それぞれの掬いポケット４０と前縁６０との間を延出する切り欠き７０を示す。いくつかの例において、切り欠き７０は掬いポケット４０より少数であってもよい。それぞれの切り欠き７０は、ベース面７２と、一対の側面７４とを有する。ベース面７２は、カミソリカートリッジ１２のシェーブ面５４（図１参照）と実質的に平行に位置される。両側面７４は、掬いポケット４０から前縁６０に向かう方向に進むにつれ互いに分岐する。側面７４は弓形に形成されて示されるが、他の形状とされることもできる。図８〜図１０に示される実施形態のガード２０の前縁６０は弓形に形成される。ガード２０の前縁６０における隣り合う切り欠き７０の間の距離は、弓形に形成されたガード２０の中心における増加された幅７６と、分岐する切り欠き側面７４とによって影響される。特に、切り欠き７０の間の距離７８は、ガード２０の一側から中心に向かうにつれ減少する。さらに、前縁６０におけるそれぞれの切り欠き７０の長さ８０は、同様の方法で増加する。
【００１８】
カミソリアッセンブリ１０の作動において、剃られる皮膚は、典型的に、ガード２０の接触面３８とキャップ３０の接触面３４との間を接線的に延出する「シェーブ」面５４（図１参照）に一致して配置される。ユーザが、シェーブ面５４に垂直な十分な力を与えると、従順な皮膚は、シェーブ面５４付近で、カミソリカートリッジ１２の堅い要素の周りで膨れ、これによりシェーブ面５４の下方に延出するであろう。カミソリ刃１８の間で膨れる皮膚は、望ましくない刺激に影響されやすい。不適当な刺激を避けるため、シェービングストローク中にガード２０が皮膚をつかんで皮膚を引っ張り、これにより１以上のカミソリ刃１８に対し皮膚を方向付けることを向上する（例えば、膨れを減少させる）機能。
【００１９】
本発明のカミソリカートリッジ１２のガード２０における掬いポケット４０は、皮膚をつかむための改良された機構を提供する。特に、掬いポケット４０の開放されたさじ状の形状は、皮膚への改良されたグリップを提供する。なぜなら、既知のガードデザインで生じるよりも多くの皮膚がポケット内に受け入れられるからである。カミソリカートリッジ１２が引かれるとき、掬いポケット４０から皮膚をはずすのに必要な力は、好適に、皮膚を張るように引く。掬いポケット４０の形状は、掬いポケット４０のグリップ機能を妥協させずに過剰のシェービングクリームを収集することをも可能にする。図８〜図１０に示される実施形態において、切り欠き７０はシェービングクリームの一様分布を促進する。
【００２０】
本発明がその詳細な実施形態に関して図示され説明されたが、様々な形態及び詳細の変更が、発明の思想及び範囲から外れること無くなされ得ることが、当業者に理解されるであろう。
【図面の簡単な説明】
【００２１】
【図１】カミソリアッセンブリの斜視図である。
【図２】図１に示されるガードバーの平面図である。
【図３】図１及び図２に示されるガードバーの３−３線に沿った断面図である。
【図４】他の実施形態を示すガードバーの断面図である。
【図５】本発明のガードバーの実施形態の斜視図である。
【図６】図５に示されるガードバーの平面図である。
【図７】図５及び図６に示されるガードバーの４−４線に沿った断面図である。
【図８】ガードバーの実施形態を示すカミソリカートリッジの平面図である。
【図９】図８に示されるカミソリカートリッジの正面図である。
【図１０】図８及び図９に示されるカミソリカートリッジの、図９に示される１０−１０線に沿った断面図である。
【符号の説明】
【００２２】
１２  カミソリカートリッジ
１６  フレーム
１８  カミソリ刃
２０  ガード
２８  切断エッジ
３８  接触面
４０  掬いポケット
４２  ベース面
４４  後側面
４６  第１の側面
４８  第２の側面
５０  開放端
５２  後端
【図１】
2005515866.tif 000003
【図２】
2005515866.tif 000004
【図３】
2005515866.tif 000005
【図４】
2005515866.tif 000006
【図５】
2005515866.tif 000007
【図６】
2005515866.tif 000008
【図７】
2005515866.tif 000009
【図８】
2005515866.tif 000010
【図９】
2005515866.tif 000011
【図１０】
2005515866.tif 000012
【国際調査報告】
2005515866.tif 000013
2005515866.tif 000014